(57)【要約】【課題】  電動送風機の風路中に設けられたスイッチング素子等のパワーデバイスによる回路故障及び風路損失を防止し、パワーデバイスを効率的に冷却することである。【解決手段】  モータ２とこのモータ２により回転駆動する遠心ファン４とを収納する電動送風機ケース６に取付貫通孔２３を形成し、取付貫通孔２３を塞ぐように電動送風機ケース６内に放熱部材である放熱フィン２４を設け、放熱フィン２４と接触するように電動送風機ケース６外にパワーデバイス２６ａを設けて、電動送風機ケース６内を流れる空気により冷える放熱フィン２４によってパワーデバイス２６ａを冷却するようにした。これにより、電動送風機１の風路中に設けられたパワーデバイス２６ａによる回路故障及び風路損失を防止し、パワーデバイス２６ａを効率的に冷却することができる。【選択図】    図１
2005248878.tif 000002
【特許請求の範囲】
【請求項１】
モータと、
前記モータにより回転駆動する遠心ファンと、
前記モータと前記遠心ファンとを収納し、前記遠心ファンの回転により外部からの空気を吸引するための吸引口と、内部から空気を排気するための排気口と、前記遠心ファンと前記モータとの間の風路を形成する壁面に形成された取付貫通孔とを有する電動送風機ケースと、
前記電動送風機ケース内に前記取付貫通孔を塞ぐように設けられた放熱部材と、
前記モータを駆動するためのデバイスであって、前記電動送風機ケース外に前記放熱部材と接触させて設けられたパワーデバイスと、
を備える電動送風機。
【請求項２】
前記電動送風機ケースは、前記モータを収納するモータケースと、前記遠心ファンを収納するファンカバーと、前記モータケースと前記ファンカバーとを連結する連結部とから構成されており、
前記取付貫通孔は前記連結部に形成されている請求項１記載の電動送風機。
【請求項３】
前記電動送風機ケースは、前記モータを収納するモータケースと、前記遠心ファンを収納するファンカバーと、前記モータケースと前記ファンカバーとを連結する連結部とから構成されており、
前記取付貫通孔は前記ファンカバーに形成されている請求項１記載の電動送風機。
【請求項４】
前記モータは回転軸を有しており、
前記取付貫通孔は前記モータの前記回転軸を中心にして放射状に同一円周上に複数設けられており、
前記放熱部材及び前記パワーデバイスはそれぞれ前記取付貫通孔と同数設けられている請求項１、２又は３記載の電動送風機。
【請求項５】
前記モータは回転軸を有しており、
前記取付貫通孔は前記モータの前記回転軸を中心にして放射状に同一円周上に複数設けられており、
前記パワーデバイスは前記取付貫通孔と同数設けられており、
前記放熱部材は、円環状に形成されて、複数の前記取付貫通孔の全てを塞いでいる請求項１、２又は３記載の電動送風機。
【請求項６】
前記放熱部材は、前記遠心ファンと前記モータとの間の風路と同じ方向に伸びる複数の溝を有している請求項１ないし５のいずれか一記載の電動送風機。
【請求項７】
前記遠心ファンからの排気風を前記モータに案内する整流板を備え、
前記放熱部材は、前記整流板による前記遠心ファンからの排気風の整流方向と同じ方向に伸び、かつ前記遠心ファン側に設けられた複数の溝を有している請求項６記載の電動送風機。
【請求項８】
請求項１ないし７のいずれか一記載の電動送風機を備える電気機器。
【発明の詳細な説明】
【技術分野】
【０００１】
本発明は、電動送風機及びこの電動送風機を備える電気掃除機等の電気機器に関する。
【背景技術】
【０００２】
通常、電動送風機には、電動部であるモータ、モータを収納するモータケース、モータの回転軸に固着された遠心ファン、その遠心ファンを機密に覆うファンカバー等から構成されている。遠心ファンとモータとの間には、遠心ファンからの排気風（空気）をモータに案内する整流板が設けられている。また、モータを駆動するための駆動回路は、電動送風機と別部品として設けられることがある。また、回路一体型の電動送風機を実現するために、電動送風機の風路中にパワーデバイス等の電子部品からなる駆動回路が設置されることもある（特許文献１参照）。
【０００３】
【特許文献１】特開平６−２６１８４７号公報
【発明の開示】
【発明が解決しようとする課題】
【０００４】
しかしながら、電動送風機の風路中に駆動回路、特にパワーデバイスが設置されると、排気中に含まれる埃等の導電性のゴミがパワーデバイスのリード部に付着してしまい、短絡による回路故障等が発生するという問題がある。また、電動送風機の風路中にパワーデバイスが設置されると、電動送風機内の風路損失が増大してしまうという問題もある。
【０００５】
一方、駆動回路中のパワーデバイスは熱を発生させてしまうため、パワーデバイスを冷却する必要がある。しかし、上述したような問題を回避するため、パワーデバイスが電動送風機の風路中以外に設置されると、パワーデバイスが空冷されなくなり、パワーデバイスを十分に冷却することができなくなるという問題がある。
【０００６】
本発明の目的は、電動送風機の風路中に設けられたスイッチング素子等のパワーデバイスによる回路故障及び風路損失を防止し、パワーデバイスを効率的に冷却することである。
【課題を解決するための手段】
【０００７】
本発明は、モータとモータにより回転駆動する遠心ファンとを収納する電動送風機ケースに取付貫通孔を形成し、取付貫通孔を塞ぐように電動送風機ケース内に放熱部材を設け、放熱部材と接触するように電動送風機ケース外にパワーデバイスを設けて、電動送風機ケース内を流れる空気により冷える放熱部材によってパワーデバイスを冷却するようにした。
【発明の効果】
【０００８】
本発明によれば、電動送風機の風路中に設けられたスイッチング素子等のパワーデバイスによる回路故障及び風路損失を防止し、パワーデバイスを効率的に冷却することができる。
【発明を実施するための最良の形態】
【０００９】
本発明の第１の実施の形態を図１ないし図５に基づいて説明する。図１は本実施の形態の電動送風機１の構成を一部切欠いて示す側面図、図２はその構成の一部を示す分解斜視図である。
【００１０】
図１及び図２に示すように、電動送風機１は、駆動源となるモータ２、このモータ２の回転軸であるロータ軸３に取り付けられた遠心ファン４、遠心ファン４からの空気を整流してモータ２に導く整流板であるディフューザ５、それらを収納する電動送風機ケース６等を備えている。
【００１１】
電動送風機ケース６は、モータ２を収納するモータケース７、遠心ファン４やディフューザ５を収納するファンカバー８、モータケース７とファンカバー８とを連結する連結部９から構成されている。このような電動送風機ケース６は、例えば樹脂で形成されている。
【００１２】
モータケース７とファンカバー８とは、それぞれ略円筒状に形成されており、それぞれ開口部７ａ，８ａを有して連通している。連結部９はモータケース７と一体に形成されている。すなわち、連結部９は、モータケース７の開口部７ａの周囲を外周方向に向けて突出するように断面略Ｌ字状に屈曲させたフランジ部である。ファンカバー８は、その外周がモータケース７の外周よりも大きく形成されており、モータケース７の連結部（フランジ部）９の外周に嵌合されて設けられている。
【００１３】
モータ２は、モータケース７に固定された固定子であるステータ１０と、このステータ１０の内側に配置された回転子であるロータ１１とから構成されている。ロータ１１の中心には、ロータ軸３が固定されて設けられている。ロータ軸３の両端部は、ベアリング１２ａ，１２ｂにより回転自在に軸支されている。
【００１４】
遠心ファン４は、空気が流入する通風孔１３と、内部を通過した空気を吐出させるための吐出口１４を有している。また、ファンカバー８は、内部に空気を吸引するために遠心ファン４の通風孔１３に対向する吸引口１５を有している。
【００１５】
ディフューザ５は、複数の円弧状ブレード１６ａ，１６ｂを有している。このディフューザ５は、複数の円弧状ブレード１６ａ，１６ｂにより遠心ファン４の吐出口１４からの空気を整流し、モータ２のファンカバー８側の端部に案内する。また、ディフューザ５は、遠心ファン４よりモータケース７側に位置付けられている。
【００１６】
モータケース７は、有底状に形成されており、その底面にベアリング１２ａを収容するベアリング収納部１７ａを有している。ベアリング収納部１７ａは、モータケース７の底面から略円筒状に突出するように形成されており、その内周側にベアリング１２ａを収納している。また、モータケース７には、その内部から空気を排気するための排気口１８が開口形成されている。例えば、排気口１８は、モータ２よりもモータケース７の底側に位置付けられている。
【００１７】
さらに、モータケース７は、開口部７ａを塞ぐように設けられた円板状のフレーム１９を有している。このフレーム１９は、モータケース７の開口部７ａに嵌合されて、あるいは、ねじ等で固定されて設けられている。このようなフレーム１９には、モータケース７内とファンカバー８内とを連通すための通風孔２０が形成されている。また、フレーム１９の略中央には、ベアリング１２ｂを収納するベアリング収納部１７ｂが設けられている。ベアリング収納部１７ｂは、ファンカバー８側に向けて略円筒状に突出するように形成されており、その内周側にベアリング１２ｂを収納している。ベアリング収納部１７ｂの略中央には、ロータ軸３用の貫通孔２１が開口形成されている。
【００１８】
モータケース７のフランジ部である連結部９には、円環状の凹部２２が形成されている。この凹部２２の底面には、６つの取付貫通孔２３が形成されている。つまり、これらの取付貫通孔２３は、遠心ファン４とモータ２との間の風路を形成する電動送風機ケース６の壁面、すなわち連結部９に形成されている。また、６つの取付貫通孔２３は、モータ２のロータ軸３を中心にして放射状に設けられており、さらに、同一円周上に略等間隔で設けられている。
【００１９】
また、円環状の凹部２２には、放熱機能を有する放熱部材である放熱フィン２４が取付貫通孔２３を塞ぐように取付貫通孔２３と同数設けられている。これらの放熱フィン２４は、凹部２２に嵌合されて固定され、ファンカバー８内に位置している。放熱フィン２４は、電動送風機ケース６よりも熱伝導性の良い放熱部材である。また、放熱フィン２４は、遠心ファン４とモータ２との間の風路と同じ方向に伸びる複数の溝２５、すなわち、ディフューザ５による遠心ファン４の吐出口１４からの排気風（空気）の整流方向と同じ方向に伸びる複数の溝２５を有している。これらの溝２５は、放熱フィン２４の遠心ファン４側の面に形成されている。このような複数の溝２５を放熱フィン２４に設けることにより、電動送風機ケース６内の風路損失を抑えることができ、さらに、放熱フィン２４の空気に触れる表面積が増加するため、放熱フィン２４による冷却効果が向上する。
【００２０】
モータ２を駆動させるためのパワーデバイスであるスイッチング素子２６ａ〜２６ｆは、放熱フィン２４と同数設けられており、電動送風機ケース６外に放熱フィン２４と接触するように位置付けられている。つまり、これらのスイッチング素子２６ａ〜２６ｆは、モータケース７の連結部９の取付貫通孔２３を塞ぐように放熱フィン２４にねじ２７で固定されている。なお、取付貫通孔２３は、スイッチング素子２６ａ〜２６ｆと放熱フィン２４とができるだけ広い面積で接触するように形成されている。すなわち、取付貫通孔２３は、スイッチング素子２６ａ〜２６ｆの形状に合わさせて略長方形状に形成されている。
【００２１】
ここで、ディフューザ５の構成例を図３及び図４に基づいて説明する。図３はディフューザ５の構成例を示す平面図、図４はその底面図である。
【００２２】
ディフューザ５は、図３に示すように、略円板状の円板部２８と、この円板部２８の略中心に形成されてロータ軸３が貫通する貫通孔２９と、フレーム１９にねじで固定するためのねじ孔３０ａ，３０ｂと、遠心ファン４の外周部に位置するようにディフューザ５の外周縁部寄りに立設された複数の円弧状ブレード１６ａと、図４に示すように、円板部２８の他面側である裏面に渦巻状に立設された複数の円弧状ブレード１６ｂと、を備えている。このようなディフューザ５は、フレーム１９にねじで固定され、ファンカバー８内に設けられる。
【００２３】
次に、モータ２を駆動制御するための駆動回路５０を図５に基づいて説明する。図５は電動送風機１が備える駆動回路５０を示す概略回路図である。
【００２４】
図５に示すように、電動送風機１は、モータ２を駆動制御する電動送風機制御部５１を備えている。電動送風機制御部５１は、マイコン５２を主体として構成されており、直流電源部５３を駆動源として駆動されるインバータ駆動回路５４にドライブ回路５５ａ〜５５ｆを介して接続されている。このような電動送風機制御部５１は、インバータ駆動回路５４を制御し、そのインバータ駆動回路５４から発生する交流電流によってモータ２を回転駆動させる。すなわち、電動送風機制御部５１は、インバータ駆動回路５４を構成するパワーＭＯＳＦＥＴ等のパワーデバイスであるスイッチング素子２６ａ〜２６ｆをスイッチング制御することで、モータ２を回転駆動させる。これらスイッチング素子２６ａ〜２６ｆや電動送風機制御部５１等は回路基板（図示せず）に実装されている。このようなスイッチング素子２６ａ〜２６ｆや電動送風機制御部５１等により駆動回路５０が構成されている。
【００２５】
直流電源部５３は、ニッケルカドミウム（ＮｉＣｄ）電池、ニッケル水素電池、又はリチウムイオン電池等の２次電池を複数本組み合わせた組電池、あるいは、商用交流電源を整流平滑したものである。この直流電圧がインバータ駆動回路５４に供給される。
【００２６】
インバータ駆動回路５４は、６個のスイッチング素子２６ａ〜２６ｆを３相ブリッジ接続した構成になっている。これらのスイッチング素子２６ａ〜２６ｆは、電動送風機制御部５１から出力されるパルス信号に基づき、高電圧側ドライブ回路２６ａ〜２６ｃ及び低電圧側ドライブ回路２６ｄ〜２６ｆにより駆動され、交流電流を電動送風機１のＹ結線の巻線５６ａ〜５６ｃに供給する。
【００２７】
また、電動送風機制御部５１には、電動送風機１の始動、停止又は電力を選択するための操作部５７、インバータ駆動回路５４に流れる電流を検出する電流検出手段５８、入力電圧を検出する入力電圧検出手段５９等が接続されている。さらに、電動送風機制御部５１には、ステータ１０に囲まれたロータ１１の永久磁石位置を検出するための位置検出手段６０が接続されている。この位置検出手段６０としては、電気角１２０°間隔で設置した３つの磁気センサを用いる。磁気センサとしては、ホールセンサやホールＩＣ等がある。また、その他の永久磁石の位置検出方法としては、特に図示しないが光学式パルスエンコーダを使用する方法や、巻線５６ａ〜５６ｃに誘起される電圧を電圧位相検出手段によって検出する方法等が使用可能である。
【００２８】
このような構成において、電動送風機１の送風動作について説明する。電動送風機１が、電動送風機制御部５１によりモータ２を回転駆動させると、その回転により遠心ファン４が回転する。この遠心ファン４の回転によって、吸引空気がファンカバー８の吸引口１５からその内部に侵入して、遠心ファン４の通風孔１３からその内部を通り、その吐出口１４から吹き出される。この空気は、ディフューザ５の複数の円弧状ブレード１６ａ，１６ｂにより整流され、フレーム１９の通風孔２０からモータケース７に流入する。このとき、遠心ファン４の吐出口１４からモータ２までの間の風路は、ディフューザ５やファンカバー８の内周面、放熱フィン２４等により構成されている。モータケース７に流入した空気は、モータ２を通過し、モータケース７の排気口１８から排出される。
【００２９】
このような送風動作によりファンカバー８内を流れる空気によって放熱フィン２４は冷却（空冷）され、放熱フィン２４に接触しているスイッチング素子２６ａ〜２６ｆも急速に冷却される。つまり、スイッチング素子２６ａ〜２６ｆで発生する熱は、放熱フィン２４により効率良く放熱されるため、スイッチング素子２６ａ〜２６ｆを効率的に冷却することができる。特に、放熱フィン２４の周辺を流れる空気は、モータ２を通過する前の温度上昇が少ない空気であるため、放熱フィン２４によるスイッチング素子２６ａ〜２６ｆの冷却効果は高くなる。これにより、スイッチング素子２６ａ〜２６ｆの動作、すなわち駆動回路５０の回路動作を安定させることができる。
【００３０】
また、本実施の形態のように電動送風機ケース６が樹脂で形成されている場合には、スイッチング素子２６ａ〜２６ｆで発生する熱がモータケース７の連結部９から電動送風機ケース６に逃げないため、放熱フィン２４によるスイッチング素子２６ａ〜２６ｆの冷却は有効である。
【００３１】
また、スイッチング素子２６ａ〜２６ｆは電動送風機ケース６外に設けられているため、埃等の導電性のゴミがスイッチング素子２６ａ〜２６ｆに付着することによる駆動回路５０の故障を防止し、さらに、電動送風機１の風路損失を抑えることができる。放熱フィン２４の遠心ファン４側に遠心ファン４の吐出口１４からの排気風（空気）の整流方向と同じ方向に伸びる複数の溝２５を設けることによって、電動送風機ケース６内の風路損失を抑えることができる。
【００３２】
なお、本実施の形態では、電動送風機ケース６を樹脂で形成しているが、これに限るものではなく、例えば鉄等の熱伝導性が高い部材で形成しても良い。この場合には、スイッチング素子２６ａ〜２６ｆで発生する熱がモータケース７の連結部９から電動送風機ケース６に逃げるため、さらにスイッチング素子２６ａ〜２６ｆを効率的に冷却することができる。
【００３３】
また、本実施の形態では、６つの放熱フィン２４を設けているが、これに限るものではなく、例えば、変形例１として、図６に示すように、放熱フィン２４を円環状に形成し、この放熱フィンが６つの取付貫通孔２３を覆うように放熱フィン２４を配置しても良い。これにより、６つのスイッチング素子２６ａ〜２６ｆに対して放熱フィン２４を個別に設ける場合に比べ、遠心ファン４から吹き出された空気に当たる放熱フィン２４の表面積が広くなるため、スイッチング素子２６ａ〜２６ｆを冷却する冷却効果が向上する。
【００３４】
また、本実施の形態では、連結部９をモータケース７のフランジ部で形成しているが、これに限るものではなく、例えば、変形例２として、図７に示すように、フランジ部を有していないモータケース７Ａにモータケース７Ａの外周よりも外周が大きいフレーム１９Ａを設け、連結部９をフレーム１９Ａの一部である外周部で形成しても良い。この場合、ファンカバー８はフレーム１９Ａの外周面に嵌合させて設けられている。また、取付貫通孔２３は、フレーム１９Ａの外周部（連結部９）に形成されており、放熱フィン２４は、フレーム１９Ａの外周部に形成された円環状の凹部２２Ａに嵌合され固定されている。スイッチング素子２６ａ〜２６ｆは、電動送風機ケース６外から放熱フィン２４に接触させてねじ２７で固定されて設けられている。
【００３５】
ここで、本実施の形態においては、電動送風機ケース６は、モータ２を収納するモータケース７と、遠心ファン４を収納するファンカバー８と、モータケース７とファンカバー８とを連結する連結部９とから構成されており、電動送風機ケース６の取付貫通孔２３は連結部９に形成されていることから、放熱フィン２４の周辺を流れる空気は、モータ２を通過する前の温度上昇が少ない空気であるため、放熱フィン２４によるスイッチング素子２６ａ〜２６ｆの冷却効果は高くなる。
【００３６】
また、本実施の形態においては、モータ２は回転軸であるロータ軸３を有しており、電動送風機ケース６の取付貫通孔２３は、モータ２のロータ軸３を中心にして放射状に同一円周上に複数設けられており、放熱部材である放熱フィン２４及びパワーデバイスであるスイッチング素子２６ａ〜２６ｆも取付貫通孔２３と同数設けられていることから、スイッチング素子２６ａ〜２６ｆの冷却のばらつきを軽減し、均等に冷却することができる。
【００３７】
また、本実施の形態の変形例１においては、モータ２はロータ軸３を有しており、電動送風機ケース６の取付貫通孔２３は、モータ２のロータ軸３を中心にして放射状に同一円周上に複数設けられており、スイッチング素子２６ａ〜２６ｆも、取付貫通孔２３と同数設けられており、放熱フィン２４は、円環状に形成されて、複数の取付貫通孔２３の全てを塞いでいることから、スイッチング素子２６ａ〜２６ｆの冷却のばらつきを軽減し、スイッチング素子２６ａ〜２６ｆを均等に冷却することができ、さらに、遠心ファン４から吹き出された空気に当たる放熱フィン２４の表面積が増加するため、スイッチング素子２６ａ〜２６ｆを冷却する冷却効果が向上する。
【００３８】
また、本実施の形態においては、放熱フィン２４は、遠心ファン４とモータ２との間の風路と同じ方向に伸びる複数の溝２５を有していることから、電動送風機ケース６内の風路損失を抑えることができ、さらに、空気に触れる放熱フィン２４の表面積が増加するため、冷却効果が向上する。
【００３９】
また、本実施の形態においては、遠心ファン４からの排気風をモータ２に案内する整流板であるディフューザ５を備え、放熱フィン２４は、ディフューザ５による遠心ファン４からの排気風の整流方向と同じ方向に伸び、かつ遠心ファン４側に設けられた複数の溝２５を有していることから、確実に電動送風機ケース６内の風路損失を抑えることができる。
【００４０】
本発明の第２の実施の形態を図８ないし図１０に基づいて説明する。図８は本実施の形態の電動送風機１Ａの構成を一部切欠いて示す側面図、図９は電動送風機１Ａを示す平面図（上面図）、図１０は２つのタイプの放熱フィン２４を示す正面図である。
【００４１】
本実施の形態の電動送風機１Ａは、基本的に第１の実施の形態に準ずるものであるが、第１の実施の形態に比べ、放熱フィン２４及びスイッチング素子２６ａ〜２６ｆの取付位置が異なっている。なお、第１の実施の形態で示した部分と同一部分は同一符号を用いて示し、説明も省略する（後述の実施の形態でも同様とする）。
【００４２】
図８及び図９に示すように、ファンカバー８の外周面８ｂには、６つの取付貫通孔２３が形成されている。すなわち、これらの取付貫通孔２３は、遠心ファン４とモータ２との間の風路を形成する電動送風機ケース６の壁面に形成されている。また、６つの取付貫通孔２３は、モータ２のロータ軸３を中心にして放射状に設けられており、さらに、同一円周上に略等間隔で設けられている。
【００４３】
放熱フィン２４は、ファンカバー８内に位置付けられて、ファンカバー８の取付貫通孔２３を塞ぐようにファンカバー８にねじ２８等で固定されて設けられている。この放熱フィン２４は取付貫通孔２３と同数設けられている。放熱フィン２４は、直線状に形成され平行に並ぶ複数の溝２５を有している（図１０参照）。これらの溝２５は、放熱フィン２４の遠心ファン４側の面に形成されている。このような複数の溝２５を放熱フィン２４に設けることにより、放熱フィン２４の空気に触れる表面積が増加し、冷却効果が向上する。このような放熱フィン２４は、例えば、図１０（ａ）に示すように、複数の溝２５が伸びる溝方向がロータ軸３の軸方向と同じになるように設けられたり、あるいは、図１０（ｂ）に示すように、複数の溝２５が伸びる溝方向がロータ軸３の軸方向に垂直な方向と同じになるように設けられたりする。
【００４４】
スイッチング素子２６ａ〜２６ｆは、電動送風機ケース６外であって、ファンカバー８の取付貫通孔２３を塞ぐように位置付けられ、放熱フィン２４にねじ２７で固定されて設けられている。このとき、スイッチング素子２６ａ〜２６ｆは、放熱フィン２４に接触するように設けられている。なお、取付貫通孔２３は、スイッチング素子２６ａ〜２６ｆと放熱フィン２４とができるだけ広い面積で接触するように形成されている。すなわち、取付貫通孔２３は、スイッチング素子２６ａ〜２６ｆの形状に合わさせて略長方形状に形成されている。
【００４５】
このような構成において、電動送風機１Ａの送風動作によりファンカバー８内を流れる空気によって放熱フィン２４は冷却され、放熱フィン２４に接触しているスイッチング素子２６ａ〜２６ｆも急速に冷却される。したがって、第１の実施の形態と同様な効果を得ることができる。
【００４６】
なお、本実施の形態では、電動送風機ケース６は、モータ２を収納するモータケース７と、遠心ファン４を収納するファンカバー８と、モータケース７とファンカバー８とを連結する連結部９とから構成されており、電動送風機ケース６の取付貫通孔２３はファンカバー８に形成されていることから、放熱フィン２４の周辺を流れる空気は、モータ２を通過する前の温度上昇が少ない空気であるため、放熱フィン２４によるスイッチング素子２６ａ〜２６ｆの冷却効果は高くなる。
【００４７】
ここで、第１の実施の形態及び第２の実施の形態においては、モータ２としてブラシレスモータを用いているが、これに限るものではなく、例えばモータ２としてブラシ付きモータを用いても良い。モータ２としてブラシ付きモータを用いる場合には、スイッチング素子２６ａ〜２６ｆは１つだけで良く、放熱フィン２４も一つで良い。
【００４８】
また、第１の実施の形態及び第２の実施の形態においては、モータケース７とファンカバー８とをそれぞれ略円筒状に形成しているが、これに限るものでなく、例えば箱型状に形成しても良い。
【００４９】
また、第１の実施の形態及び第２の実施の形態においては、パワーデバイスとしてトライアックやパワーＭＯＳＦＥＴ等のスイッチング素子２６ａ〜２６ｆを用いているが、これに限るものではなく、駆動により発熱を伴う素子、例えば、ＩＧＢＴ（Insurated Gate Bipolar Transistor）等のスイッチング素子も適用対象となり、又は、これらの素子単体に限らず、１チップにパッケージ化又はデバイス化したものでも適用対象となり、さらには、抵抗素子も適用対象となる。
【００５０】
本発明の第３の実施の形態を図１１に基づいて説明する。図１１は本実施の形態の電気掃除機の外観構成を示す斜視図である。本実施の形態は、第１の実施の形態の電動送風機１又は第２の実施の形態の電動送風機１Ａを搭載する電気機器としての電気掃除機への適用例である。
【００５１】
図１１に示すように、電気掃除機８１は、その基体をなす掃除機本体であるハウジング８２と、一端をハウジング８２に着脱自在に接続されたホース８３、ホース８３の他端側に設けられた手元操作部８４、一端側を手元操作部８４に着脱自在に接続された２分割構成の延長管８５、延長管８５の他端側に着脱自在に取付けられた吸込口体８６等により構成されている。ハウジング８２には、電動送風機１，１Ａが収納保持され、集塵室８７も設けられている。
【００５２】
ホース８３は、その基端が集塵室８７を介して電動送風機１，１Ａの吸込側に連通するようにハウジング８２に接続されている。そのホース８３の他端側に設けられた手元操作部８４には、後方に向けて延出した握り部８８と、この握り部８８を握った操作者の指で操作可能な範囲に位置する操作部５７とが設けられている。
【００５３】
操作部５７は、電動送風機１，１Ａの電源スイッチを兼ね、この電動送風機１，１Ａを各々異なる駆動状態にする複数種類の運転モードを選択することができるように構成されている。操作部５７には、握り部８８から延長管８５の方向に向けて、運転モードを停止状態とする停止操作ボタン５７ａ、運転モードを弱運転状態とする弱運転操作ボタン５７ｂ、運転モードを強運転状態とする強運転操作ボタン５７ｃが一列に順次並んで配設されている。ここで、例えば、強運転状態の時には、電動送風機１，１Ａは３０，０００ｒｐｍレベルの高速で回転し、ゴミを吸引する。
【００５４】
このような構成において、前述したような電動送風機１，１Ａの送風動作が行われると、電動送風機１，１Ａによる吸込力により、電気掃除機８１の吸込口体８６からゴミが吸い込まれる。そのゴミは、延長管８５や手元操作部８４、ホース８３を通過して、集塵室８７に集められる。このようにして、電気掃除機８１は、電動送風機１，１Ａによる吸込力により、吸込口体８６からゴミを吸引して集塵室８７に集める。
【００５５】
ここで、電気掃除機８１のゴミ吸込力に影響を与える要因は幾つかある。その中には、入力電力と風路損失とがある。入力電力が大きいとゴミ吸引力は向上するが、その電力制御をするスイッチング素子２６ａ〜２６ｆの発熱量は大きくなる傾向にある。また、当然、風路損失が大きいと、ゴミ吸引力は低下する。したがって、本実施の形態のように、風路損失を増大させることなく、スイッチング素子２６ａ〜２６ｆの冷却を効率的に行うことができる電動送風機１，１Ａを電気掃除機８１に搭載することは、電気掃除機８１のゴミ吸込性能を向上させるために特に有効である。
【図面の簡単な説明】
【００５６】
【図１】本発明の第１の実施の形態の電動送風機の構成を一部切欠いて示す側面図である。
【図２】本発明の第１の実施の形態の電動送風機の構成の一部を示す分解斜視図である。
【図３】ディフューザの構成例を示す平面図である。
【図４】ディフューザの構成例を示す底面図である。
【図５】本発明の第１の実施の形態の電動送風機が備える駆動回路を示す概略回路図である。
【図６】本発明の第１の実施の形態の変形例１の電動送風機の構成の一部を示す分解斜視図である。
【図７】本発明の第１の実施の形態の変形例２の電動送風機の構成を一部切欠いて示す側面図である。
【図８】本発明の第２の実施の形態の電動送風機の構成を一部切欠いて示す側面図である。
【図９】本発明の第２の実施の形態の電動送風機を示す平面図である。
【図１０】２つのタイプの放熱フィンを示す正面図である。
【図１１】本発明の第３の実施の形態の電気掃除機の外観構成を示す斜視図である。
【符号の説明】
【００５７】
１，１Ａ          電動送風機
２                モータ
３                回転軸（ロータ軸）
４                遠心ファン
５                整流板（ディフューザ）
６                電動送風機ケース
７，７Ａ          モータケース
８                ファンカバー
９                連結部
１５              吸引口
１８              排気口
２３              取付貫通孔
２４              放熱部材（放熱フィン）
２５              溝
２６ａ〜２６ｆ    パワーデバイス（スイッチング素子）
８１              電気機器
【図１】
2005248878.tif 000003
【図２】
2005248878.tif 000004
【図３】
2005248878.tif 000005
【図４】
2005248878.tif 000006
【図５】
2005248878.tif 000007
【図６】
2005248878.tif 000008
【図７】
2005248878.tif 000009
【図８】
2005248878.tif 000010
【図９】
2005248878.tif 000011
【図１０】
2005248878.tif 000012
【図１１】
2005248878.tif 000013